(57)【特許請求の範囲】
【請求項１】
開口部（５４ａ）が形成された側板（５４）を有するユニットケーシング（５１）と、
前記開口部からアクセス可能に前記ユニットケーシング内に設けられた電装品アセンブリ（７０）と、
を備えており、
デマンド制御を行うためのデマンドアダプタ（８０）を、前記電装品アセンブリの外方でかつ前記開口部からアクセス可能な位置に着脱可能に設けており、
前記電装品アセンブリは、前記開口部に面する位置に端子台（７２）を有しており、
前記デマンドアダプタを、前記端子台の外方に設けており、
前記電装品アセンブリは、前記端子台の前方及び後方の位置に外方に向かって延びる壁部（７３、７４）を有しており、
前記デマンドアダプタを、前記壁部に設けている、
空気調和装置（１）。
【請求項２】
前記デマンドアダプタ（８０）は、デマンド制御基板（８１）と、前記デマンド制御基板が取り付けられるアダプタケース（８２）とを有しており、
前記デマンドアダプタを、前記デマンド制御基板と前記端子台（７２）との間に前記アダプタケースが介在するように設けている、
請求項１に記載の空気調和装置（１）。
【発明の詳細な説明】
【技術分野】
【０００１】
本発明は、空気調和装置、特に、デマンド制御を行うことが可能な空気調和装置に関する。
【背景技術】
【０００２】
従来より、特許文献１（特開２０１１−１４９５７２号公報）に示すように、電力情報に基づいてデマンド制御を行う空気調和装置がある。この空気調和装置の制御部は、通常の空調制御を行う空調制御部と、デマンド制御を行うデマンド制御部とを有している。
【０００３】
また、特許文献２、３（特開２００５−６９５８２号公報、特開２００２−１０６８８７号公報）に示すように、制御部を構成する制御基板を２分割して電装品アセンブリを小型化した空気調和装置がある。
【発明の概要】
【発明が解決しようとする課題】
【０００４】
上記従来のデマンド制御を行う空気調和装置において、デマンド制御機能をオプション機能とする場合には、デマンド制御部を制御部から切り離してデマンドアダプタの形にして、後付けで空気調和装置に取り付けることが考えられる。このとき、デマンドアダプタは、取り付け後の操作性を確保できる位置に設けることが好ましいが、後付け部品であるため、設置箇所は限定される。
【０００５】
本発明の課題は、デマンド制御を行うことが可能な空気調和装置において、デマンド制御を行うためのデマンドアダプタを、操作性を確保しつつ後付けできるようにすることにある。
【課題を解決するための手段】
【０００６】
第１の観点にかかる空気調和装置は、開口部が形成された側板を有するユニットケーシングと、開口部からアクセス可能にユニットケーシング内に設けられた電装品アセンブリと、を有している。そして、ここでは、デマンド制御を行うためのデマンドアダプタを、電装品アセンブリの外方でかつ開口部からアクセス可能な位置に着脱可能に設けている。
【０００７】
ここでは、上記のように、デマンドアダプタを、ユニットケーシング内に設けられた電装品アセンブリの外方で、かつ、側板に形成された開口部からアクセス可能な位置に着脱可能に設けるようにしている。ここで、「外方」とは、ユニットケーシングを前面側から見た際に、側板からユニットケーシング外に離れる側の横方向を意味する。
【０００８】
これにより、ここでは、空気調和装置にデマンド制御機能をオプション機能として付加する際に、デマンドアダプタを、空気調和装置に取り付けられた状態での操作性を確保しつつ後付けすることができる。
【０００９】
しかも、電装品アセンブリは、開口部に面する位置に端子台を有しており、デマンドアダプタを、端子台の外方に設けている。
【００１０】
ここでは、上記のように、電装品アセンブリの開口部に面する位置に端子台が配置されており、これにより、ユニットケーシングを取り外すことなく電源線等の電気配線を電装品アセンブリに接続できるようになっている。しかし、ここでは、開口部に面する位置に端子台を配置するだけでなく、デマンドアダプタも開口部からアクセス可能な位置に設ける必要がある。
【００１１】
そこで、ここでは、上記のように、デマンドアダプタを端子台の外方に設けるようにしている。これにより、ここでは、開口部に面する位置に端子台を配置するとともに、デマンドアダプタを開口部からアクセス可能な位置に設けることができる。
【００１２】
さらに、電装品アセンブリは、端子台の前方及び後方の位置に外方に向かって延びる壁部を有しており、デマンドアダプタを、壁部に設けている。
【００１３】
ここでは、上記のように、電装品アセンブリに、端子台の前方及び後方の位置に外方に向かって延びる壁部を設けて、この壁部にデマンドアダプタを設けるようにしている。ここで、「前方」とは、ユニットケーシングを前面側から見た際の手前方向を意味し、「後方」とは、ユニットケーシングを前面側から見た際の奥方向を意味する。
【００１４】
これにより、ここでは、例えば、端子台に接続された電気配線とデマンドアダプタとの干渉を防ぐ等のように、端子台とデマンドアダプタとの間に適切な間隔を空けた状態で、容易にデマンドアダプタを設けることができる。
【００１５】
第２の観点にかかる空気調和装置は、第１の観点にかかる空気調和装置において、デマンドアダプタは、デマンド制御基板と、デマンド制御基板が取り付けられるアダプタケースとを有しており、デマンドアダプタを、デマンド制御基板と端子台との間にアダプタケースが介在するように設けている。
【００１６】
デマンドアダプタを端子台の外方に設ける場合には、強電部品である端子台からデマンドアダプタ側へのノイズの低減を図ることが好ましい。
【００１７】
そこで、ここでは、上記のように、デマンドアダプタを、デマンド制御基板とアダプタケースとを有する構成にして、デマンド制御基板と端子台との間にアダプタケースが介在するようにデマンドアダプタを設けるようにしている。
【００１８】
これにより、ここでは、端子台からデマンドアダプタ側へのノイズを低減しつつ、デマンドアダプタを端子台の外方に設けることができる。
【発明の効果】
【００１９】
以上の説明に述べたように、本発明によれば、以下の効果が得られる。
【００２０】
第１の観点にかかる空気調和装置は、空気調和装置にデマンド制御機能をオプション機能として付加する際に、デマンドアダプタを、空気調和装置に取り付けられた状態での操作性を確保しつつ後付けすることができる。しかも、開口部に面する位置に端子台を配置するとともに、デマンドアダプタを開口部からアクセス可能な位置に設けることができる。さらに、端子台とデマンドアダプタとの間に適切な間隔を空けた状態で、容易にデマンドアダプタを設けることができる。
【００２１】
第２の観点にかかる空気調和装置では、端子台からデマンドアダプタ側へのノイズを低減しつつ、デマンドアダプタを端子台の外方に設けることができる。
【図面の簡単な説明】
【００２２】
【図１】本発明の一実施形態にかかる空気調和装置の概略構成図である。
【図２】空気調和装置の制御ブロック図である。
【図３】室外ユニットの外観を示す斜視図である。
【図４】室外ユニットの天板を取り外した状態を示す平面図である。
【図５】室外ユニットの閉鎖弁カバーを取り外した状態の外観を示す斜視図である。
【図６】室外ユニットの閉鎖弁カバーを取り外した状態を示す右側面図（上部のみ）である。
【図７】室外ユニットの右側面寄りの上部を示す前面断面図（機械室内の他の部材を図示を省略）である。
【図８】電装品アセンブリの外観を室外ユニットの右側面側から見た斜視図である。
【図９】閉鎖弁カバーを室外ユニットの右側面外方側から見た図である。
【図１０】閉鎖弁カバーを室外ユニットの前面側から見た図である。
【図１１】閉鎖弁カバーを室外ユニットの右側面内方側から見た図である。
【図１２】室外ユニットにデマンドアダプタを設けた状態を示す図であって、図６に対応する図である。
【図１３】室外ユニットにデマンドアダプタを設けた状態を示す図であって、図７に対応する図である。
【図１４】室外ユニットにデマンドアダプタを設けた状態を示す図であって、図８に対応する図である。
【図１５】閉鎖弁カバーの上部を室外ユニットの右側面内方側から見た斜視図である。
【発明を実施するための形態】
【００２３】
以下、本発明にかかる空気調和装置の実施形態及びその変形例について、図面に基づいて説明する。尚、本発明にかかる空気調和装置の具体的な構成は、下記の実施形態及びその変形例に限られるものではなく、発明の要旨を逸脱しない範囲で変更可能である。
【００２４】
（１）空気調和装置の構成
図１は、本発明の一実施形態にかかる空気調和装置１の概略構成図である。
【００２５】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２６】
＜室内ユニット＞
室内ユニット４は、室内に設置されており、冷媒回路１０の一部を構成している。室内ユニット４は、主として、室内熱交換器４１を有している。
【００２７】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２８】
室内ユニット４は、室内ユニット４内に室内空気を吸入して、室内熱交換器４１において冷媒と熱交換させた後に、供給空気として室内に供給するための室内ファン４２を有している。すなわち、室内ユニット４は、室内熱交換器４１を流れる冷媒の加熱源又は冷却源としての室内空気を室内熱交換器４１に供給するファンとして、室内ファン４２を有している。ここでは、室内ファン４２として、回転数制御が可能な室内ファン用モータ４２ａによって駆動される遠心ファンや多翼ファン等が使用されている。
【００２９】
室内ユニット４は、室内ユニット４を構成する各部の動作を制御する室内側制御部４０を有している。そして、室内側制御部４０は、室内ユニット４の制御を行うために設けられたマイクロコンピュータやメモリ等を有しており、室内ユニット４を個別に操作するためのリモコン（図示せず）との間で制御信号等のやりとりを行ったり、室外ユニット２との間で伝送線を介して制御信号等のやりとりを行うことができるようになっている。
【００３０】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２６と、液側閉鎖弁２７と、ガス側閉鎖弁２８とを有している。
【００３１】
圧縮機２１は、冷凍サイクルの低圧の冷媒を高圧になるまで圧縮する機器である。圧縮機２１は、ロータリ式やスクロール式等の容積式の圧縮要素（図示せず）を圧縮機用モータ２１ａによって回転駆動する密閉式構造となっている。圧縮機２１は、吸入側に吸入管３１が接続されており、吐出側に吐出管３２が接続されている。吸入管３１は、圧縮機２１の吸入側と四路切換弁２２とを接続する冷媒管である。吐出管３２は、圧縮機２１の吐出側と四路切換弁２２とを接続する冷媒管である。
【００３２】
四路切換弁２２は、冷媒回路１０における冷媒の流れの方向を切り換えるための切換弁である。四路切換弁２２は、冷房運転時には、室外熱交換器２３を圧縮機２１において圧縮された冷媒の放熱器として機能させ、かつ、室内熱交換器４１を室外熱交換器２３において放熱した冷媒の蒸発器として機能させる冷房サイクル状態への切り換えを行う。すなわち、四路切換弁２２は、冷房運転時には、圧縮機２１の吐出側（ここでは、吐出管３２）と室外熱交換器２３のガス側（ここでは、第１ガス冷媒管３３）とが接続される（図１の四路切換弁２２の実線を参照）。しかも、圧縮機２１の吸入側（ここでは、吸入管３１）とガス冷媒連絡管６側（ここでは、第２ガス冷媒管３４）とが接続される（図１の四路切換弁２２の実線を参照）。また、四路切換弁２２は、暖房運転時には、室外熱交換器２３を室内熱交換器４１において放熱した冷媒の蒸発器として機能させ、かつ、室内熱交換器４１を圧縮機２１において圧縮された冷媒の放熱器として機能させる暖房サイクル状態への切り換えを行う。すなわち、四路切換弁２２は、暖房運転時には、圧縮機２１の吐出側（ここでは、吐出管３２）とガス冷媒連絡管６側（ここでは、第２ガス冷媒管３４）とが接続される（図１の四路切換弁２２の破線を参照）。しかも、圧縮機２１の吸入側（ここでは、吸入管３１）と室外熱交換器２３のガス側（ここでは、第１ガス冷媒管３３）とが接続される（図１の四路切換弁２２の破線を参照）。ここで、第１ガス冷媒管３３は、四路切換弁２２と室外熱交換器２３のガス側とを接続する冷媒管である。第２ガス冷媒管３４は、四路切換弁２２とガス側閉鎖弁２８とを接続する冷媒管である。
【００３３】
室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。液冷媒管３５は、室外熱交換器２３と液側閉鎖弁２７とを接続する冷媒管である。
【００３４】
膨張弁２６は、冷房運転時には、室外熱交換器２３において放熱した冷凍サイクルの高圧の冷媒を冷凍サイクルの低圧まで減圧する弁である。また、膨張弁２６は、暖房運転時には、室内熱交換器４１において放熱した冷凍サイクルの高圧の冷媒を冷凍サイクルの低圧まで減圧する弁である。膨張弁２６は、液冷媒管３５に設けられている。ここでは、膨張弁２６として、開度制御が可能な電動膨張弁が使用されている。
【００３５】
室外ユニット２は、室外ユニット２内に室外空気を吸入して、室外熱交換器２３において冷媒と熱交換させた後に、外部に排出するための室外ファン３６を有している。すなわち、室外ユニット２は、室外熱交換器２３を流れる冷媒の冷却源又は加熱源としての室外空気を室外熱交換器２３に供給するファンとして、室外ファン３６を有している。ここでは、室外ファン３６は、回転数制御が可能な室外ファン用モータ３６ａによって駆動されるようになっている。
【００３６】
室外ユニット２は、室外ユニット２を構成する各部の動作を制御する室外側制御部２０を有している。そして、室外側制御部２０は、室外ユニット２の制御を行うために設けられたマイクロコンピュータやメモリ等を有しており、室内ユニット４との間で伝送線を介して制御信号等のやりとりを行うことができるようになっている。また、ここでは、室外側制御部２０には、デマンド制御を行うためのデマンド制御部３０が接続できるようになっている。デマンド制御部３０は、電力メータ（図示せず）からの電力情報に基づいて電力抑制信号を生成して、室外側制御部２０に電力抑制信号を送る制御部であり、後付けで室外ユニット２に取り付けられるように構成されている。
【００３７】
＜冷媒連絡管＞
冷媒連絡管５、６は、空気調和装置１を建物等の設置場所に設置する際に、現地にて施工される冷媒管であり、設置場所や室外ユニットと室内ユニットとの組み合わせ等の設置条件に応じて種々の長さや管径を有するものが使用される。
【００３８】
以上のように、室外ユニット２と、室内ユニット４と、冷媒連絡管５、６とが接続されることによって、空気調和装置１の冷媒回路１０が構成されている。そして、冷媒回路１０は、四路切換弁２２を冷房サイクル状態に切り換えることで、圧縮機２１、室外熱交換器２３、膨張弁２６、室内熱交換器４１の順に冷媒を循環させる冷房運転を行い、四路切換弁２２を暖房サイクル状態に切り換えることで、圧縮機２１、室内熱交換器４１、膨張弁２６、室外熱交換器２３の順に冷媒を循環させる暖房運転を行うことが可能になっている。
【００３９】
＜制御部＞
空気調和装置１は、主として、室内側制御部４０と室外側制御部２０とから構成される制御部８によって、室外ユニット２及び室内ユニット４の各機器の制御を行うことができるようになっている。すなわち、室内側制御部４０と室外側制御部２０との間を接続する伝送線とによって、空気調和装置１全体の運転制御を行う制御部８が構成されている。また、ここでは、上記のように、デマンド制御部３０を後付けで室外ユニット２に取り付け、そして、室外側制御部２０にデマンド制御部３０を接続できるようになっている。これにより、デマンド制御部３０を含む制御部８は、電力メータ（図示せず）からの電力情報に基づいて電力抑制信号を生成し、この電力抑制信号に基づいてデマンド制御を行うことができるようになっている。すなわち、ここでは、デマンド制御部３０を後付けで空気調和装置１に取り付けることによって、オプション機能としてのデマンド制御機能を制御部８に付加することができるようになっている。尚、制御部８は、図２に示すように、空気調和装置１に設けられる各種センサ（図示せず）等の検出信号を受けることができるように接続されるとともに、これらの検出信号（デマンド制御部３０が後付けされる場合には電力抑制信号も含む）等に基づいて各種機器及び弁２１ａ、２２、２６、３６ａ、４２ａ等を制御することができるように接続されている。
【００４０】
（２）空気調和装置の動作
次に、空気調和装置１の動作について説明する。空気調和装置１は、まず、冷房運転及び暖房運転を行うことが可能である。
【００４１】
＜冷房運転＞
冷房運転時には、四路切換弁２２が冷房サイクル状態（図１の実線で示される状態）に切り換えられる。
【００４２】
冷媒回路１０において、冷凍サイクルの低圧のガス冷媒は、圧縮機２１に吸入され、冷凍サイクルの高圧になるまで圧縮された後に吐出される。
【００４３】
圧縮機２１から吐出された高圧のガス冷媒は、四路切換弁２２を通じて、室外熱交換器２３に送られる。
【００４４】
室外熱交換器２３に送られた高圧のガス冷媒は、室外熱交換器２３において、室外ファン３６によって冷却源として供給される室外空気と熱交換を行って放熱して、高圧の液冷媒になる。
【００４５】
室外熱交換器２３において放熱した高圧の液冷媒は、膨張弁２６に送られる。
【００４６】
膨張弁２６に送られた高圧の液冷媒は、膨張弁２６によって冷凍サイクルの低圧まで減圧されて、低圧の気液二相状態の冷媒になる。膨張弁２６で減圧された低圧の気液二相状態の冷媒は、液冷媒連絡管５を通じて、室内熱交換器４１に送られる。
【００４７】
室内熱交換器４１に送られた低圧の気液二相状態の冷媒は、室内熱交換器４１において、室内ファン４２によって加熱源として供給される室内空気と熱交換を行って蒸発する。これにより、室内空気は冷却され、その後に、室内に供給されることで室内の冷房が行われる。
【００４８】
室内熱交換器４１において蒸発した低圧のガス冷媒は、ガス冷媒連絡管６及び四路切換弁２２を通じて、再び、圧縮機２１に吸入される。
【００４９】
このように、空気調和装置１において、圧縮機２１、室外熱交換器２３、膨張弁２６、室内熱交換器４１の順に冷媒を循環させる冷房運転が行われる。
【００５０】
＜暖房運転＞
暖房運転時には、四路切換弁２２が暖房サイクル状態（図１の破線で示される状態）に切り換えられる。
【００５１】
冷媒回路１０において、冷凍サイクルの低圧のガス冷媒は、圧縮機２１に吸入され、冷凍サイクルの高圧になるまで圧縮された後に吐出される。
【００５２】
圧縮機２１から吐出された高圧のガス冷媒は、四路切換弁２２及びガス冷媒連絡管６を通じて、室内熱交換器４１に送られる。
【００５３】
室内熱交換器４１に送られた高圧のガス冷媒は、室内熱交換器４１において、室内ファン４２によって冷却源として供給される室内空気と熱交換を行って放熱して、高圧の液冷媒になる。これにより、室内空気は加熱され、その後に、室内に供給されることで室内の暖房が行われる。
【００５４】
室内熱交換器４１で放熱した高圧の液冷媒は、液冷媒連絡管５を通じて、膨張弁２６に送られる。
【００５５】
膨張弁２６に送られた高圧の液冷媒は、膨張弁２６によって冷凍サイクルの低圧まで減圧されて、低圧の気液二相状態の冷媒になる。膨張弁２６で減圧された低圧の気液二相状態の冷媒は、室外熱交換器２３に送られる。
【００５６】
室外熱交換器２３に送られた低圧の気液二相状態の冷媒は、室外熱交換器２３において、室外ファン２５によって加熱源として供給される室外空気と熱交換を行って蒸発して、低圧のガス冷媒になる。
【００５７】
室外熱交換器２３で蒸発した低圧の冷媒は、四路切換弁２２を通じて、再び、圧縮機２１に吸入される。
【００５８】
このように、空気調和装置１において、圧縮機２１、室内熱交換器４１、膨張弁２６、室外熱交換器２３の順に冷媒を循環させる暖房運転が行われる。
【００５９】
＜デマンド制御＞
また、空気調和装置１にデマンド制御部３０を後付けする場合には、上記の冷房運転や暖房運転時において、デマンド制御を行うことが可能である。
【００６０】
具体的には、ここでは、デマンド制御部３０が、電力メータ（図示せず）からの電力情報を受信し、この電力情報に基づいて電力抑制信号を生成する。例えば、電力メータから受信した電力値が大きく空気調和装置１における電力の抑制が要求される場合には、空気調和装置１の運転能力を抑制させるための電力抑制信号を生成する。そして、デマンド制御部３０が、制御部８（室外側制御部２０及び室内側制御部４０）に電力抑制信号を送信し、電力抑制信号を受信した制御部８が、空気調和装置１の運転能力を抑制する制御を行う。例えば、空気調和装置１の室内設定温度をシフトさせる制御を行う。すなわち、冷房運転時においては、室内設定温度を現在値よりも少し上げ、暖房運転時においては、室内設定温度を現在値よりも少し下げるのである。また、室内設定温度をシフトさせる制御ではなく、圧縮機２１の周波数（回転数）を現在値よりも下げる制御を行うことも考えられる。これにより、空気調和装置１の電力を抑制することができる。
【００６１】
このように、空気調和装置１にデマンド制御部３０を後付けする場合には、冷房運転お及び暖房運転時において、デマンド制御を行うことができる。
【００６２】
（３）室外ユニットの構造
次に、図３〜図１５を用いて、空気調和装置１の室外ユニット２の構造について説明する。ここで、図３は、室外ユニット２の外観を示す斜視図である。図４は、室外ユニット２の天板５６を取り外した状態を示す平面図である。図５は、室外ユニット２の閉鎖弁カバー６０を取り外した状態の外観を示す斜視図である。図６は、室外ユニット２の閉鎖弁カバー６０を取り外した状態を示す右側面図（上部のみ）である。図７は、室外ユニット２の右側面寄りの上部を示す前面断面図（機械室Ｓ２内の他の部材を図示を省略）である。図８は、電装品アセンブリ７０の外観を室外ユニット２の右側面側から見た斜視図である。図９〜図１１は、閉鎖弁カバー６０を示す図であって、それぞれ室外ユニット２の右側面外方側、前面側、右側面内方側から見た図である。図１２〜図１４は、室外ユニット２にデマンドアダプタ８０を設けた状態を示す図であって、それぞれ図６〜図８に対応する図である。図１５は、閉鎖弁カバー６０の上部を室外ユニット２の右側面内方側から見た斜視図である。尚、以下の説明において、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。また、「外方」とは、ユニットケーシング５１を前面側から見た際に、側板（ここでは、機械室側側板５４）からユニットケーシング５１外に離れる側の横方向を意味し、「内方」とは、ユニットケーシング５１を前面側から見た際に、側板（ここでは、機械室側側板５４）からユニットケーシング５１内に向かう側の横方向を意味する。
【００６３】
＜基本構造＞
室外ユニット２は、ユニットケーシング５１の内部が上下方向に延びる仕切板５７によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２６、閉鎖弁２７、２８、及び、これらの機器を接続する冷媒管３１〜３５を含む冷媒回路構成部品（図１参照）と、室外ファン３６及び室外ファン用モータ３６ａと、電装品アセンブリ７０と、閉鎖弁カバー６０とを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００６４】
ユニットケーシング５１は、略直方体状に形成されており、主として、圧縮機２１、四路切換弁２２、室外熱交換器２３、膨張弁２６、閉鎖弁２７、２８、及び、これらの機器を接続する冷媒管３１〜３５を含む冷媒回路構成部品と、室外ファン３６及び室外ファン用モータ３６ａと、電装品アセンブリ７０とが設けられている。ユニットケーシング５１は、冷媒回路構成部品や室外ファン３６等の各種部品が載置される底フレーム５２と、送風機室側側板５３と、機械室側側板５４と、前板５５と、天板５６と、仕切板５７と、据付脚５８、５９とを有している。
【００６５】
底フレーム５２は、ユニットケーシング５１の底面部分を構成する板状部材である。
【００６６】
送風機室側側板５３は、ユニットケーシング５１の送風機室Ｓ１寄りの側面部分（ここでは、左側面部分）を構成する板状部材である。送風機室側側板５３は、その下部が底フレーム５２に固定されている。送風機室側側板５３には、室外ファン３６によってユニットケーシング５１の側面側からユニットケーシング５１内に室外空気を吸入するための側面ファン吸入口５３ａが形成されている。
【００６７】
機械室側側板５４は、ユニットケーシング５１の機械室Ｓ２寄りの側面部分（ここでは、右側面部分）と、ユニットケーシング５１の機械室Ｓ２寄りの背面部分とを構成する板状部材である。機械室側側板５４は、その下部が底フレーム５２に固定されている。機械室側側板５４の上部には、開口部５４ａが形成されており、開口部５４ａを通じて電装品アセンブリ７０へのアクセスが可能になっている。機械室側側板５４の下部には、切り欠き部５４ｂが形成されており、切り欠き部５４ｂを通じて閉鎖弁２７、２８が外方に突出している。すなわち、機械室側側板５４には、開口部５４ａよりも下方に閉鎖弁２７、２８が設けられている。機械室側側板５４には、閉鎖弁カバー６０を固定するためのネジ孔５４ｃ、及び、係止孔５４ｄが形成されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するための背面ファン吸入口５３ｂが形成されている。
【００６８】
前板５５は、ユニットケーシング５１の送風機室Ｓ１及び機械室Ｓ２の前面部分を構成する板状部材である。前板５５は、その下部が底フレーム５２に固定され、その左側面側の端部が送風機室側側板５３の前面側の端部に固定され、その右側面側の端部が機械室側側板５４の前面側の端部に固定されている。前板５５には、室外ファン３６によってユニットケーシング５１内に吸入された室外空気を外部に吹き出すためのファン吹出口５５ａが設けられている。前板５５の前面側には、ファン吹出口５５ａを覆うファン吹出グリル５５ｂが設けられている。
【００６９】
天板５６は、ユニットケーシング５１の天面部分を構成する板状部材である。天板５６は、送風機室側板５３や機械室側側板５４、前板５５に固定されている。
【００７０】
仕切板５７は、底フレーム５２上に配置される上下方向に延びる鋼製の板状部材である。仕切板５７は、ここでは、ユニットケーシング５１の内部を左右に分割することによって、左側面寄りの送風機室Ｓ１と、右側面寄りの機械室Ｓ２とを形成している。仕切板５７は、その下部が底フレーム５２に固定され、その前面側の端部が前板５５に固定され、その背面側の端部が室外熱交換器２３の機械室Ｓ２寄りの側端部まで延びている。
【００７１】
据付脚５８、５９は、ユニットケーシング５１の前後方向に延びる板状部材である。据付脚５８、５９は、室外ユニット２の据付面に固定される部材である。
【００７２】
室外ファン３６は、複数の翼を有するプロペラファンであり、送風機室Ｓ１内において、室外熱交換器２３の前面側の位置に、ユニットケーシング５１の前面（ここでは、ファン吹出口５５ａ）に対向するように配置されている。室外ファン用モータ３６ａは、送風機室Ｓ１内において、室外ファン３６と室外熱交換器２３との前後方向間に配置されている。
【００７３】
室外熱交換器２３は、平面視略Ｌ字形状の熱交換器パネルであり、送風機室Ｓ１内において、ユニットケーシング５１の側面（ここでは、左側面）及び背面に対向するように底フレーム５２に載置されている。ここでは、室外熱交換器２３として、円管や扁平管からなる伝熱管と、伝熱フィンとにより構成されたフィンアンドチューブ型熱交換器が使用されている。
【００７４】
圧縮機２１は、ここでは、縦型円筒形状の密閉式圧縮機であり、機械室Ｓ２内において、底フレーム５２に載置されている。
【００７５】
電装品アセンブリ７０は、制御部８の一部である室外側制御部２０を構成する電装品の集合体である。電装品アセンブリ７０は、略直方体形状の電装品箱７１と、電装品箱７１に収容される制御基板（図示せず）等の各種電装品と、電源線等の電気配線を接続するための端子台７２とを有している。電装品アセンブリ７０は、ユニットケーシング５１の機械室Ｓ２寄りの上部に配置されており、その機械室Ｓ２側の面（ここでは、右側面）が機械室側側板５４の開口部５４ａに対向している。電装品アセンブリ７０（すなわち、電装品箱７１）の機械室Ｓ２側の面には、端子台７２が設けられており、開口部５４ａを通じて電源線等の電気配線を接続することができるようになっている。このように、電装品アセンブリ７０は、ユニットケーシング５１（ここでは、機械室側側板５４）に形成された開口部５４ａからアクセス可能にユニットケーシング５１内に設けられている。また、電装品アセンブリ７０は、開口部５４ａに面する位置に端子台７２を有している。
【００７６】
閉鎖弁カバー６０は、機械室側側板５４に形成された開口部５４ａ、及び、機械室側側板５４から外方に突出した閉鎖弁２７、２８を外方から覆うように機械室側側板５４に取り付けられる樹脂製の部材である。閉鎖弁カバー６０は、主として、カバー周縁部６１と、膨出部６２とを有している。カバー周縁部６１は、機械室側側板５４に略平行であり、機械室側側板５４に当接する略四角環状の部分である。カバー周縁部６１には、機械室側側板５４に形成されたネジ孔５４ｃに対向する位置にネジ孔６１ａが形成されており、機械室側側板５４に形成された係止孔５４ｄに対向する位置に係止爪６１ｂが形成されている。そして、閉鎖弁カバー６０は、係止爪６１ｂを対応する係止孔５４ｄに係止し、ネジ孔６１ａ及びネジ孔５４ｃにネジ（図示せず）を螺挿することによって、機械室側側板５４に取り付けることができるようになっている。膨出部６２は、カバー周縁部６１の基面から外方に膨出する部分であり、開口部５４ａを覆う開口カバー部６３と、閉鎖弁２７、２８を覆う弁カバー部６４とを有している。開口カバー部６３は、カバー周縁部６１の上部の内周縁から外方に向かって突出する上面６３ａ、前面６３ｂ及び後面６３ｃと、面６３ａ、６３ｂ、６３ｃの外方縁を覆う外方面６３ｄとを有している。開口カバー部６３は、その一部（ここでは、外方面６３ｄの一部）が内方に凹むことによって形成された取っ手部６３ｅを有している。弁カバー部６４は、カバー周縁部６１の下部（ここでは、開口カバー部６３よりも下側の部分）の内周縁から外方に向かって突出する下面６４ａ、前面６４ｂ及び後面６４ｃと、面６４ａ、６４ｂ、６４ｃの外方縁を覆う外方面６４ｄとを有している。弁カバー部６４は、その一部（ここでは、後面６４ｃの一部）が開口することによって形成された配管引き出し部６４ｅを有している。ここで、閉鎖弁カバー６０の膨出部６２（開口カバー部６３、弁カバー部６４）の「前後面」とは、膨出部６２（開口カバー部６３、弁カバー部６４）を構成する面のうち機械室側側板５４から外方に向かって突出した面６３ｂ、６３ｃ、６４ｂ、６４ｃを意味し、ユニットケーシング５１を前面側から見た際の手前側の面６３ｂ、６４ｂが「前面」であり、奥側の面６３ｃ、６４ｃが「後面」である。
【００７７】
＜デマンドアダプタ及びその周辺の詳細構造＞
−構造−
上記の空気調和装置１において、デマンド制御機能をオプション機能とする場合には、上記のデマンド制御を行うためのデマンド制御部３０を制御部８から切り離して、デマンド制御部３０を構成する電装品の集合体であるデマンドアダプタの形にして、後付けで空気調和装置１に取り付けることが考えられる。このとき、デマンドアダプタは、取り付け後の操作性を確保できる位置に設けることが好ましいが、後付け部品であるため、設置箇所は限定される。
【００７８】
そこで、ここでは、上記のような基本構造を有する空気調和装置１の室外ユニット２において、デマンド制御部３０としてのデマンドアダプタ８０を、電装品アセンブリ７０の外方で、かつ、機械室側側板５４に形成された開口部５４ａからアクセス可能な位置に着脱可能に設けている。
【００７９】
具体的には、デマンドアダプタ８０は、主として、デマンド制御基板８１と、デマンド制御基板８１が取り付けられるアダプタケース８２とを有している。ここで、アダプタケース８２は、樹脂製である。そして、デマンドアダプタ８０を端子台７２の外方に設けている。ここでは、電装品アセンブリ７０（すなわち、電装品箱７１）は、端子台７２の前方及び後方の位置に外方に向かって延びる壁部７３、７４を有している。壁部７３、７４は、端子台７２よりも外方に突出している。そして、壁部７３、７４にデマンドアダプタ８０を設けている。ここでは、壁部７４にネジ孔７４ａを形成し、アダプタケース８２にネジ孔７４ａに対向するネジ孔８２ａを形成し、ネジ孔８２ａ及びネジ孔７４ａｃにネジ（図示せず）を螺挿することによって、デマンド制御基板８１と端子台７２との間にアダプタケース８２が介在した状態で、デマンドアダプタ８０を端子台７２の外方に設けている。ここで、ネジ孔７４ａは、開口部５４ａに面する位置に形成されており、開口部５４ａを通じてドライバー等の工具を使用することができるようになっている。尚、デマンドアダプタ８０の壁部７３、７４への取り付けは、ネジ止めに限定されるものではなく、開口部５４ａを通じてデマンドアダプタ８０を取り付ける方法であれば、別の取り付け方法であってもよい。
【００８０】
−特徴−
そして、上記のデマンドアダプタ８０及びその周辺構造を有する空気調和装置１の室外ユニット２には、以下のような特徴がある。
【００８１】
まず、ここでは、上記のように、デマンドアダプタ８０を、ユニットケーシング５１内に設けられた電装品アセンブリ７０の外方で、かつ、側板（ここでは、機械室側側板５４）に形成された開口部５４ａからアクセス可能な位置に着脱可能に設けるようにしている。
【００８２】
これにより、ここでは、空気調和装置１の室外ユニット２にデマンド制御機能をオプション機能として付加する際に、デマンドアダプタ８０を、空気調和装置１の室外ユニット２に取り付けられた状態での操作性を確保しつつ後付けすることができる。
【００８３】
また、ここでは、上記のように、電装品アセンブリ７０の開口部５４ａに面する位置に端子台７２が配置されており、これにより、ユニットケーシング５１を取り外すことなく電源線などの電気配線を電装品アセンブリ７０に接続できるようになっている。しかし、ここでは、開口部５４ａに面する位置に端子台７２を配置するだけでなく、デマンドアダプタ８０も開口部５４ａからアクセス可能な位置に設ける必要がある。
【００８４】
そこで、ここでは、上記のように、デマンドアダプタ８０を端子台７２の外方に設けるようにしている。これにより、ここでは、開口部５４ａに面する位置に端子台７２を配置するとともに、デマンドアダプタ８０を開口部５４ａからアクセス可能な位置に設けることができる。
【００８５】
また、ここでは、上記のように、デマンドアダプタ８０を端子台７２の外方に設けているため、強電部品である端子台７２からデマンドアダプタ側へのノイズの低減を図ることが好ましい。
【００８６】
そこで、ここでは、上記のように、デマンドアダプタ８０を、デマンド制御基板８１とアダプタケース８２とを有する構成にして、デマンド制御基板８１と端子台７２との間にアダプタケース８２が介在するようにデマンドアダプタ８０を設けるようにしている。
【００８７】
これにより、ここでは、端子台７２からデマンドアダプタ８０側へのノイズを低減しつつ、デマンドアダプタ８０を端子台７２の外方に設けることができる。
【００８８】
さらに、ここでは、上記のように、電装品アセンブリ７０に、端子台７２の前方及び後方の位置に外方に向かって延びる壁部７３、７４を設けて、この壁部７３、７４にデマンドアダプタ８０を設けるようにしている。
【００８９】
これにより、ここでは、例えば、端子台７２に接続された電気配線とデマンドアダプタ８０との干渉を防ぐ等のように、端子台７２とデマンドアダプタ８０との間に適切な間隔を空けた状態で、容易にデマンドアダプタ８０を設けることができる。
【００９０】
＜閉鎖弁カバーの詳細構造＞
−構造−
上記の空気調和装置１において、開口部５４ａを通じてユニットケーシング５１内に水が侵入することを抑制するために、閉鎖弁カバー６０の開口部５４ａを覆う部分である開口カバー部６３に水侵入抑制リブを形成することが考えられる。このとき、開口部５４ａに後付けの電装品（ここでは、デマンドアダプタ８０）を配置可能にする等の目的で閉鎖弁カバー６０と側板（ここでは、機械室側側板５４）との間の空間の奥行き、すなわち、閉鎖弁カバー６０の膨出部６２の外方への膨出の程度を大きくすると、水侵入抑制リブの内方への突出の程度が大きくなり、水侵入抑制リブが細長い形状になってしまう。これにより、閉鎖弁カバー６０の金型成形にあたり、金型の水侵入抑制リブに対応する部分に破損が発生したり、水侵入抑制リブの成形不良が発生するおそれがある。
【００９１】
そこで、ここでは、上記のような基本構造を有する空気調和装置１の室外ユニット２において、膨出部６２の前後面６３ｂ、６３ｃ、６４ｂ、６４ｃに段差６５ａ、６５ｂを形成することによって、少なくとも開口カバー部６３の前後面６３ｂ、６３ｃの幅を弁カバー部６４の前後面６４ｂ、６４ｃの幅よりも小さくし、開口カバー部６３の前後面６３ｂ、６３ｃを内方に連続的に延長することによって、開口部５４ａを通じてユニットケーシング５１内に水が侵入することを抑制する水侵入抑制リブ６３ｆ、６３ｇを形成している。
【００９２】
具体的には、開口カバー部６３の前面６３ｂと弁カバー部６４の前面６４ｂとの間に前面６３ｂが前面６４ｂよりも後方に位置するように段差６５ａを形成し、開口カバー部６３の後面６３ｃと弁カバー部６４の後面６４ｃとの間に後面６３ｃが後面６４ｃよりも前方に位置するように段差６５ｂを形成することによって、開口カバー部６３の前後面６３ｂ、６３ｃの幅を弁カバー部６４の前後面６４ｂ、６４ｃの幅よりも小さくするようにしている。尚、段差は、前面６３ｂ、６４ｂ及び後面６３ｃ、６４ｃの両方に形成するものに限定されず、前面６３ｂ、６４ｂ又は後面６３ｃ、６４ｃに形成することによって（すなわち、段差６５ａ又は段差６５ｂを形成することによって）、開口カバー部６３の前後面６３ｂ、６３ｃの幅を弁カバー部６４の前後面６４ｂ、６４ｃの幅よりも小さくするようにしてもよい。また、段差６５ａ、６５ｂを形成する位置は、開口カバー部６３と弁カバー部６４との境界位置に限定されるものではなく、弁カバー部６４に段差６５ａ、６５ｂを形成してもよい。そして、ここでは、段差６５ａ、６５ｂによって前後幅が小さくなった開口カバー部６３の前面６３ｂの内端及び前面６３ｃの内端を内方に連続的に延長することによって、水侵入抑制リブ６３ｆ、６３ｇを形成するようにしている。ここで、水侵入抑制リブ６３ｆ、６３ｇは、カバー周縁部６１の基面よりも内方に延びている。また、水侵入抑制リブ６３ｆ、６３ｇの上端は、カバー周縁部６１まで達している。そして、カバー周縁部６１には、水侵入抑制リブ６３ｆ、６３ｇの上端間を結ぶリブ６３ｈが形成されており、ユニットケーシング５１内への水の侵入の抑制に寄与している。
【００９３】
−特徴−
そして、上記の閉鎖弁カバー６０を有する空気調和装置１の室外ユニット２には、以下のような特徴がある。
【００９４】
まず、ここでは、上記のように、カバー周縁部６１の基面から外方に膨出する膨出部６２の前後面６３ｂ、６３ｃ、６４ｂ、６４ｃに段差６５ａ、６５ｂを形成することによって、少なくとも開口カバー部６３の前後面６３ｂ、６３ｃの幅を弁カバー部６４の前後面６４ｂ、６４ｃの幅よりも小さくし、開口カバー部６３の前後面６３ｂ、６３ｃを内方に連続的に延長することによって、閉鎖弁カバー６０に水侵入抑制リブ６３ｆ、６３ｇを形成するようにしている。
【００９５】
これにより、ここでは、内方への突出の程度が小さい水侵入抑制リブ６３ｆ、６３ｇを形成することができ、閉鎖弁カバー６０の金型成形にあたり、金型の水侵入抑制リブ６３ｆ、６３ｇに対応する部分の破損や水侵入抑制リブ６３ｆ、６３ｇの成形不良を抑えることができる。
【００９６】
また、ここでは、上記のように、開口カバー部６３に取っ手部６３ｅが形成されており、開口カバー部６３の外方への膨出の程度が大きくなっているため、水侵入抑制リブ６３ｆ、６３ｇの内方への突出の程度が大きくなり、閉鎖弁カバー６０の金型成形にあたり、金型の水侵入抑制リブ６３ｆ、６３ｇに対応する部分の破損や水侵入抑制リブ６３ｆ、６３ｇの成形不良が発生しやすい傾向にある。しかも、ここでは、上記のように、開口部５４ａに後付けの電装品であるデマンドアダプタ８０を配置可能にしており、取っ手部６３ｅを後付けのデマンドアダプタ８０に干渉しないように形成しているため、金型の破損や水侵入抑制リブ６３ｆ、６３ｇの成形不良がさらに発生しやすい傾向にある。
【００９７】
しかし、ここでは、上記のように、内方への突出の程度が小さい水侵入抑制リブ６３ｆ、６３ｇを形成することができるため、開口カバー部６３に取っ手部６３ｅが形成される場合であっても、金型の水侵入抑制リブ６３ｆ、６３ｇに対応する部分の破損や水侵入抑制リブ６３ｆ、６３ｇの成形不良を抑えることができる。
【００９８】
さらに、ここでは、上記のように、水侵入抑制リブ６３ｆ、６３ｇがカバー周縁部６１の基面よりも内方に延びているため、開口部５４ａを通じてユニットケーシング５１内に水が侵入することを確実に抑制することができる。
【００９９】
（４）変形例
上記の実施形態では、空気調和装置１を構成する室外ユニット２にデマンドアダプタ８０を設ける構成を例に挙げて説明したが、これに限定されるものではない。
【０１００】
また、上記の実施形態では、デマンドアダプタ８０を設ける位置が閉鎖弁カバー６０で覆われる開口部５４ａであったが、これに限定されるものではない。
【産業上の利用可能性】
【０１０１】
本発明は、デマンド制御を行うことが可能な空気調和装置に対して、広く適用可能である。
【符号の説明】
【０１０２】
１          空気調和装置
５１        ユニットケーシング
５４        機械室側側板
５４ａ      開口部
７０        電装品アセンブリ
７２        端子台
７３、７４  壁部
８０        デマンドアダプタ
８１        デマンド制御基板
８２        アダプタケース
【先行技術文献】
【特許文献】
【０１０３】
【特許文献１】特開２０１１−１４９５７２号公報
【特許文献２】特開２００５−６９５８２号公報
【特許文献３】特開２００２−１０６８８７号公報
【図１】
0005962628.tif 000002
【図２】
0005962628.tif 000003
【図３】
0005962628.tif 000004
【図４】
0005962628.tif 000005
【図５】
0005962628.tif 000006
【図６】
0005962628.tif 000007
【図７】
0005962628.tif 000008
【図８】
0005962628.tif 000009
【図９】
0005962628.tif 000010
【図１０】
0005962628.tif 000011
【図１１】
0005962628.tif 000012
【図１２】
0005962628.tif 000013
【図１３】
0005962628.tif 000014
【図１４】
0005962628.tif 000015
【図１５】
0005962628.tif 000016